(57)【要約】【課題】撮像画像に生じたぶれを簡単に目立たなくする。【解決手段】イメージセンサ２２から出力された電気信号に基づいて撮影画像の撮影画像データ２１０を生成するときに、前記撮影画像に生じたぶれが視認され難くなる最適表示サイズＤａおよび最適印刷サイズＤｂを、撮影時のぶれ量Ｑに基づいて特定し、前記撮影画像データ２１０に付加するようにした。【選択図】図５
2007189336.tif 000002
【特許請求の範囲】
【請求項１】
撮影素子から出力された電気信号に基づいて撮影画像の撮影画像データを生成する撮影手段と、
撮影時のぶれ量を検出するぶれ量検出手段と、
前記撮影画像に生じたぶれが視認され難くなる最適出力サイズを前記ぶれ量に基づいて特定する最適サイズ特定手段と
を具備することを特徴とする撮影装置。
【請求項２】
前記撮影手段は、
前記最適サイズ特定手段により特定された最適出力サイズを付加した撮影画像データを生成する
ことを特徴とする請求項１に記載の撮影装置。
【請求項３】
前記撮影画像データに基づいて撮影画像を表示する表示手段を更に備え、
前記最適出力サイズには最適表示サイズが規定され、
前記表示手段は、前記最適出力サイズにより示される表示サイズで前記撮影画像を表示する
ことを特徴とする請求項１または２に記載の撮影装置。
【請求項４】
前記撮影画像データを外部機器に送信する送信手段を更に備え、
前記撮影手段は、前記ぶれ量を前記撮影画像データに付加すると共に、
前記最適サイズ特定手段は、前記撮影画像データが外部機器に出力されるときに、前記撮影画像データに付加されたぶれ量に基づいて、前記最適出力サイズを特定し、
前記送信手段が、前記撮影画像データと共に前記最適出力サイズを前記外部機器に送信する
ことを特徴とする請求項１に記載の撮影装置。
【請求項５】
撮影素子から出力された電気信号に基づいて撮影画像の撮影画像データを生成する撮影手段と、前記撮影画像データを外部機器に送信する送信手段とを備えた撮影装置であって、
撮影時のぶれ量を検出するぶれ量検出手段と、
前記撮影画像に生じたぶれが視認され難くなる最適出力サイズを前記外部機器が特定可能にすべく、前記ぶれ量検出手段により検出されたぶれ量を前記撮影手段が生成する撮影画像データに付加する付加手段とを備え、
前記送信手段は、前記ぶれ量が付加された撮影画像データを前記外部機器に送信する
ことを特徴とする撮影装置。
【請求項６】
請求項１乃至５のいずれかに記載の撮影装置を備えたことを特徴とする電子機器。
【請求項７】
撮影画像に生じたぶれが視認され難くなる最適出力サイズが付加された撮影画像データを取得する撮影画像データ取得手段と、
前記最適出力サイズにより示されるサイズに基づいて前記撮影画像を印刷または表示する出力手段と
を具備することを特徴とする撮影画像出力装置。
【請求項８】
撮影時のぶれ量が付加された撮影画像データを取得する撮影画像データ取得手段と、
前記撮影画像データに基づく撮影画像を印刷または表示する出力手段と、
前記ぶれ量に基づいて、前記撮影画像に生じたぶれが視認され難くなる最適出力サイズを特定する最適サイズ特定手段とを備え、
前記出力手段は、前記最適出力サイズにより示されるサイズに基づいて前記撮影画像を印刷または表示する
ことを特徴とする撮影画像出力装置。
【請求項９】
撮影素子から出力された電気信号に基づいて撮影画像の撮影画像データを生成するときに、前記撮影画像に生じたぶれが視認され難くなる最適出力サイズを、撮影時のぶれ量に基づいて特定し、前記撮影画像データに付加するようにしたことを特徴とする撮影方法。
【請求項１０】
撮影素子から出力された電気信号に基づいて撮影画像の撮影画像データを生成し、前記撮影画像データを外部機器に送信するときに、
前記撮影画像に生じたぶれが視認され難くなる最適出力サイズを前記外部機器が特定可能にすべく、撮影時のぶれ量を前記撮影画像データに付加して送信するようにしたことを特徴とする撮影方法。
【請求項１１】
撮影素子から出力された電気信号に基づいて撮影画像の撮影画像データを生成する撮影手段と、撮影時のぶれ量を検出するぶれ量検出手段とを備えた撮影装置を、
前記撮影画像に生じたぶれが視認され難くなる最適出力サイズを前記ぶれ量に基づいて特定する手段
として機能させることを特徴とするプログラム。
【請求項１２】
撮影素子から出力された電気信号に基づいて撮影画像の撮影画像データを生成する撮影手段と、前記撮影画像データを外部機器に送信する送信手段と、撮影時のぶれ量を検出するぶれ量検出手段とを備えた撮影装置を、
前記撮影画像に生じたぶれが視認され難くなる最適出力サイズを前記外部機器が特定可能にすべく、前記ぶれ量検出手段により検出されたぶれ量を前記撮影手段が生成する撮影画像データに付加して前記外部機器に送信する手段
として機能させることを特徴とするプログラム。
【請求項１３】
請求項１１または１２に記載のプログラムが記録されたコンピュータ読み取り可能な記録媒体。
【発明の詳細な説明】
【技術分野】
【０００１】
本発明は、撮影時の手ぶれによって撮影画像にぶれが生じた場合であっても、当該撮影画像のぶれを目立たなくするための技術に関する。
【背景技術】
【０００２】
従来、デジタルカメラ等の撮影装置にあっては、撮影時の手ぶれによる画像劣化を防止するために、手ぶれによる振動量を検出する手ぶれ検出手段を備え、この手ぶれ検出手段の検出信号に基づいて、撮像手段からの撮像出力信号の位置補正を行うことによって、撮影画像に生じるぶれを抑制するものが提案されている（例えば、特許文献１参照）。
【特許文献１】特開２００５−３９５３４号公報
【発明の開示】
【発明が解決しようとする課題】
【０００３】
しかしながら、従来の技術にあっては、撮像出力信号の位置補正のための補正回路を備える必要があり、さらに、複雑な位置補正処理を要するため、コストや処理時間がかかるという問題があった。
本発明は、上述した事情に鑑みてなされたものであり、撮像画像に生じたぶれを簡単に目立たなくすることのできる撮影装置、電子機器、撮影画像出力装置、撮影方法、プログラムおよび記録媒体を提供することを目的とする。
【課題を解決するための手段】
【０００４】
上記目的を達成するために、本発明は、撮影素子から出力された電気信号に基づいて撮影画像の撮影画像データを生成する撮影手段と、撮影時のぶれ量を検出するぶれ量検出手段と、前記撮影画像に生じたぶれが視認され難くなる最適出力サイズを前記ぶれ量に基づいて特定する最適サイズ特定手段とを具備することを特徴とする撮影装置を提供する。
本発明によれば、撮影画像に生じたぶれが視認され難くなる最適出力サイズが撮影時のぶれ量に基づいて特定されるため、この最適出力サイズで撮影画像を出力することで、ぶれの目立たない撮影画像を簡単に得ることができる。
なお、本発明および以下に示す各発明において、上記最適出力サイズは、基本的には、ぶれ量が大きいほど、小さなサイズとされるものであり、また、出力サイズとは、ユーザが撮影画像を視認可能に出力する際のサイズを指し、例えば、撮影画像の表示サイズや印刷サイズなどが出力サイズに含まれる。
【０００５】
ここで、上記発明において、前記撮影手段は、前記最適サイズ特定手段により特定された最適出力サイズを付加した撮影画像データを生成する構成が望ましい。
この望ましい構成によれば、撮影画像データに基づいた撮影画像が表示や印刷等により出力される際に、ぶれの目立たない撮影画像が出力可能となる。
【０００６】
また、上記発明において、前記撮影画像データに基づいて撮影画像を表示する表示手段を更に備え、前記最適出力サイズには最適表示サイズが規定され、前記表示手段は、前記最適出力サイズにより示される表示サイズで前記撮影画像を表示する構成が望ましい。
この望ましい構成によれば、撮影装置にて撮影画像を再生表示する際に、撮影画像に生じたぶれを目立たなくすることができる。
【０００７】
また、上記発明において、前記撮影画像データを外部機器に送信する送信手段を更に備え、前記撮影手段は、前記ぶれ量を前記撮影画像データに付加すると共に、前記最適サイズ特定手段は、前記撮影画像データが外部機器に出力されるときに、前記撮影画像データに付加されたぶれ量に基づいて、前記最適出力サイズを特定し、前記送信手段が、前記撮影画像データと共に前記最適出力サイズを前記外部機器に送信する構成も望ましい。
この望ましい構成によれば、外部機器に撮影画像データを送信する際に、最適出力サイズを特定するための処理が実行されるため、撮影画像データ生成時、すなわち、撮影時の処理を低減し、連写などの高速撮影に対応することができる。
【０００８】
また、上記目的を達成するために、本発明は、撮影素子から出力された電気信号に基づいて撮影画像の撮影画像データを生成する撮影手段と、前記撮影画像データを外部機器に送信する送信手段とを備えた撮影装置であって、撮影時のぶれ量を検出するぶれ量検出手段と、前記撮影画像に生じたぶれが視認され難くなる最適出力サイズを前記外部機器が特定可能にすべく、前記ぶれ量検出手段により検出されたぶれ量を前記撮影手段が生成する撮影画像データに付加する付加手段とを備え、前記送信手段は、前記ぶれ量が付加された撮影画像データを前記外部機器に送信することを特徴とする撮影装置を提供する。
本発明によれば、撮影時のぶれ量が付加された撮影画像データが外部機器に送信されるため、外部機器が撮影画像を表示や印刷等で出力する際に、ぶれ量に基づいて最適な出力サイズを特定することができる。
なお、上述の撮影装置を備えた種々の電子機器も本発明に含まれる。
【０００９】
また、上記目的を達成するために、本発明は、撮影画像に生じたぶれが視認され難くなる最適出力サイズが付加された撮影画像データを取得する撮影画像データ取得手段と、前記最適出力サイズにより示されるサイズに基づいて前記撮影画像を印刷または表示する出力手段とを具備することを特徴とする撮影画像出力装置を提供する。
本発明によれば、撮影画像データには、撮影画像に生じたぶれが視認され難くなる最適出力サイズが付加され、この最適出力サイズに基づいて印刷や表示等の撮影画像の出力が行われるため、ぶれの目立たない撮影画像が得られる。
なお、コンピュータを、撮影画像に生じたぶれが視認され難くなる最適出力サイズが付加された撮影画像データを取得する手段と、前記最適出力サイズにより示されるサイズに基づいて前記撮影画像を印刷または表示する手段として機能させることを特徴とするプログラムを、コンピュータに実行させて、撮影画像出力装置を構成しても良い。
【００１０】
また、上記目的を達成するために、本発明は、撮影時のぶれ量が付加された撮影画像データを取得する撮影画像データ取得手段と、前記撮影画像データに基づく撮影画像を印刷または表示する出力手段と、前記ぶれ量に基づいて、前記撮影画像に生じたぶれが視認され難くなる最適出力サイズを特定する最適サイズ特定手段とを備え、前記出力手段は、前記最適出力サイズにより示されるサイズに基づいて前記撮影画像を印刷または表示することを特徴とする撮影画像出力装置を提供する。
【００１１】
本発明によれば、撮影画像データに撮影時のぶれ量が付加されており、この撮影画像データに基づいて印刷や表示等の撮影画像の出力が行われる際には、撮影画像に生じたぶれが視認され難くなる最適出力サイズがぶれ量に基づいて特定され、この最適出力サイズで撮影画像の出力が行われるため、ぶれの目立たない撮影画像が得られる。
なお、コンピュータを、撮影時のぶれ量が付加された撮影画像データを取得する手段、前記撮影画像データに基づく撮影画像を印刷または表示する手段、前記ぶれ量に基づいて、前記撮影画像に生じたぶれが視認され難くなる最適出力サイズを特定する手段として機能させると共に、前記最適出力サイズにより示されるサイズに基づいて前記撮影画像を印刷または表示するように機能させることを特徴とするプログラムを、コンピュータに実行させて、撮影画像出力装置を構成しても良い。
【００１２】
また、上記目的を達成するために、本発明は、撮影素子から出力された電気信号に基づいて撮影画像の撮影画像データを生成するときに、前記撮影画像に生じたぶれが視認され難くなる最適出力サイズを、撮影時のぶれ量に基づいて特定し、前記撮影画像データに付加するようにしたことを特徴とする撮影方法を提供する。
また、上記目的を達成するために、本発明は、撮影素子から出力された電気信号に基づいて撮影画像の撮影画像データを生成し、前記撮影画像データを外部機器に送信するときに、前記撮影画像に生じたぶれが視認され難くなる最適出力サイズを前記外部機器が特定可能にすべく、撮影時のぶれ量を前記撮影画像データに付加して送信するようにしたことを特徴とする撮影方法を提供する。
【００１３】
また、上記目的を達成するために、本発明は、撮影素子から出力された電気信号に基づいて撮影画像の撮影画像データを生成する撮影手段と、撮影時のぶれ量を検出するぶれ量検出手段とを備えた撮影装置を、前記撮影画像に生じたぶれが視認され難くなる最適出力サイズを前記ぶれ量に基づいて特定する手段として機能させることを特徴とするプログラムを提供する。
また、上記目的を達成するために、本発明は、撮影素子から出力された電気信号に基づいて撮影画像の撮影画像データを生成する撮影手段と、前記撮影画像データを外部機器に送信する送信手段と、撮影時のぶれ量を検出するぶれ量検出手段とを備えた撮影装置を、前記撮影画像に生じたぶれが視認され難くなる最適出力サイズを前記外部機器が特定可能にすべく、前記ぶれ量検出手段により検出されたぶれ量を前記撮影手段が生成する撮影画像データに付加して前記外部機器に送信する手段として機能させることを特徴とするプログラムを提供する。
また、上記目的を達成するために、本発明は、上記いずれかに記載のプログラムが記録されたコンピュータ読み取り可能な記録媒体を提供する。
本発明に係る撮影方法、プログラムおよび記録媒体によれば、本発明に係る撮影装置と同様に、撮影時の手ぶれによって撮影画像にぶれが生じた場合であっても、当該撮影画像のぶれを簡単に目立たなくすることができる。
【発明を実施するための最良の形態】
【００１４】
以下、図面を参照して本発明の実施の形態について説明する。
（第１実施の形態）
図１は本実施の形態に係るデジタルカメラ（撮影装置）１０の構成を示すブロック図である。このデジタルカメラ１０は、撮影部２０、表示部３０、操作部４０、角速度検出部５０、制御部６０、外部記録再生部７０、リムーバルメモリ８０および接続Ｉ／Ｆ部９０を備えている。
撮影部２０は、光学系２１、イメージセンサ２２、アナログフロントエンド（ＡＦＥ）部２３、画像処理部２４及び圧縮・伸張部２５を有している。光学系２１は、複数のレンズ２１ａ、絞り２１ｂ等で構成され、制御部６０の制御の下、いずれかのレンズ２１ａと絞り２１ｂが駆動されて、被写体をイメージセンサ２２の受光面に結像させる。
【００１５】
イメージセンサ２２は、２次元空間に離散的に配置された光電変換素子とＣＣＤ（Charge Coupled Device）等の電荷転送素子とを備えた撮像素子であり、いわゆるＣＣＤイメージセンサ、ＣＭＯＳイメージセンサ等が適用されている。イメージセンサ２２は、制御部６０の制御の下、受光面に結像された被写体像を光電変換して得られる電荷を光電変換素子毎に一定時間蓄積し、光電変換素子毎の受光量に応じた電気信号をＡＦＥ部２３に出力する。なお、イメージセンサ２２の露光量は、絞り２１ｂのＦ値や光学系２１とイメージセンサ２２との間に設けられる図示しないメカニカルシャッタの開放時間とで決定され、撮影時の露光量は、制御部６０が設定したシャッター速度及び露出時間に基づいて決定される。また、イメージセンサ２２の露光時間はイメージセンサ２２の電荷蓄積時間自体を電気的に制御することによって調整してもよい。
【００１６】
ＡＦＥ部２３は、イメージセンサ２２から出力される電気信号をＡＤ変換器でデジタル信号に量子化して、無加工の原画像データたるＲＡＷデータ２００を生成して画像処理部２４に出力するＡＦＥ(Analog Front End)アナログ信号処理回路である。
画像処理部２４は、ＲＡＷデータ２００に対し、３原色（ＲＧＢ）の濃淡レベルを持つカラー画像を形成する画像形成処理、ホワイトバランス補正、ガンマ補正等を施して画像データを生成し、圧縮・伸張部２５に出力するものである。
圧縮・伸張部２５は、制御部６０の制御の下、例えばＪＰＥＧ（Joint Photographic coding Experts Group）等の所定の圧縮・伸張規格に基づいて、画像処理部２４から出力された画像データを圧縮して撮影画像データ２１０を生成して外部記録再生部７０に出力し、また、撮影画像データ２１０を表示部３０に表示する場合には、この撮影画像データ２１０を上記圧縮・伸張規格に基づいて伸張し制御部６０に出力するものである。
外部記録再生部７０は、制御部６０の制御の下、撮影画像データ２１０をリムーバブルメモリ８０に記録する。また、外部記録再生部７０は、制御部６０の制御の下、リムーバブルメモリ８０に記録された撮影画像データ２１０を読み出して圧縮・伸張部２５に出力する。なお、リムーバブルメモリ８０は、半導体メモリ、光ディスク、磁気ディスク又はハードディスク等が適用される。
【００１７】
表示部３０は、液晶ディスプレイや液晶駆動部等を備え、制御部６０の制御の下、操作メニューや撮影画像等の各種情報を表示する情報出力手段として機能する。このデジタルカメラ１０は、動作モードとして、静止画を撮影する撮影モードおよび撮影済みの静止画を再生する再生モードの少なくとも２つの動作モードを備え、例えば撮影モードの場合、上記表示部３０には撮影中の撮影画像が表示され、再生モードの場合には、外部記録再生部７０によってリムーバルメモリ８０から読み出された後、圧縮・伸張部２５により伸張された撮影画像データ２１０の撮影画像が表示される。
操作部４０は、撮影者によって操作される複数の操作子を有し、この操作子には、撮影開始を指示入力する押下式のシャッターボタン４１ａや、動作モードや撮影条件の設定等を行う操作キーが設けられている。なお、シャッターボタン４１ａの押下操作に伴う手ぶれ発生を防止するために、デジタルカメラ１０に音声入力手段および音声認識手段とを設け、シャッターボタン４１ａの操作に代えて、ユーザが撮影指示を音声により入力可能に構成しても良い。
【００１８】
角速度検出部５０は、デジタルカメラ１０のぶれ量を検出するぶれ量検出手段として機能するものであり、図２に示すように、撮像対象のフレームＦＬの上下方向（以下、Ｘ軸と定義する）の角速度を検出するＸ軸ジャイロセンサ５１と、左右方向（以下、Ｙ軸と定義する）の角速度を検出するＹ軸ジャイロセンサ５２とを有している。この角速度検出部５０は、２つのジャイロセンサ５１、５２によりＸ軸及びＹ軸の各角速度に応じた電圧値の角速度検出信号を制御部６０に出力する。
【００１９】
制御部６０は、デジタルカメラ１０の各部を制御するコンピュータとして機能するものであり、図１に示すように、各種プログラムの実行や演算処理をするＣＰＵ６１と、このＣＰＵ６１が実行する制御プログラム１００や各種データを格納する書換可能なフラッシュＲＯＭ（以下、単に「ＲＯＭ」という）６２と、上記ＣＰＵ６１の演算結果や各種データを一時的に格納するためのワークエリアとして機能するＲＡＭ６３とを備えている。
【００２０】
この制御プログラム１００は、磁気記録媒体、光記録媒体、半導体記録媒体等のコンピュータ読み取り可能な記録媒体１１０に記録して配布したり、通信ネットワーク上の配信サーバからダウンロード可能にすることができる。さらに、パーソナルコンピュータと本デジタルカメラ１０とを通信可能にケーブル等で接続し、パーソナルコンピュータで読み取られた記録媒体１１０の制御プログラム１００をデジタルカメラ１０に出力することで、ＲＯＭ６２に制御プログラム１００を格納することも可能である。
【００２１】
接続Ｉ／Ｆ部９０は、例えばカラープリンタ等の印刷装置３００や、ディスプレイを備えたパーソナルコンピュータやテレビ等の外部表示装置３１０といった、撮影画像を表示や印刷等により出力する外部機器を本デジタルカメラ１０とデータ通信可能に接続するためのインターフェースである。
この接続Ｉ／Ｆ部９０に印刷装置３００接続されている場合、リムーバブルメモリ８０に格納された撮影画像データ２１０が接続Ｉ／Ｆ部９０を介して印刷装置３００に出力されて、この撮影画像データ２１０の撮影画像が印刷装置３００によって印刷され、またこれと同様に、接続Ｉ／Ｆ部９０に外部表示装置３１０が接続されている場合には、撮影画像データ２１０の撮影画像が外部表示装置３１０に表示されるようになっている。
【００２２】
ここで、撮影時に手ぶれが生じた場合には、そのぶれにより撮影画像にもぶれ（ズレやぼけ）が生じる。そこで、本実施の形態のデジタルカメラ１０にあっては、撮影画像に生じたぶれを目立たなくすべく、撮影時のぶれ量に応じて、撮影画像の表示サイズおよび印刷サイズが決定される構成とされており、以下、かかる構成について詳述する。
【００２３】
画像処理部２４および圧縮・伸張部２５を経て生成される撮影画像データ２１０は、Ｅｘｉｆ（Exchangeable Image File Format）形式の画像データとして生成され、図３に示すように、撮影画像データ２１０には、実データ部２１０Ａとヘッダ部２１０Ｂとが設けられている。実データ部２１０Ａには、例えばＪＥＰＧ（Joint Photographic Coding Experts Group）形式等の所定データ形式の画像データが格納され、また、ヘッダ部２１０Ｂには、撮影日付やサムネイル表示用の画像データが格納されている。さらに、このヘッダ部２１０Ｂには、ぶれが視認し難くなる最適表示サイズＤａおよび最適印刷サイズＤｂがヘッダ部２１０Ｂに格納されており、撮影画像の表示時および印刷時には、これら最適表示サイズＤａおよび最適印刷サイズＤｂにて規定されたサイズで表示や印刷が行われる。
【００２４】
上記最適表示サイズＤａおよび最適印刷サイズＤｂは、角速度検出部５０により検出値に基づく撮影時のぶれ量に応じて制御部６０により決定され、圧縮・伸張部２５に出力され、この圧縮・伸張部２５が撮像画像データ２１０の生成時に、最適表示サイズＤａおよび最適印刷サイズＤｂをヘッダ部２１０Ｂに格納する。
最適表示サイズＤａおよび最適印刷サイズＤｂの決定について詳細には、前掲図１に示すように、ＲＯＭ６２には表示・印刷サイズ設定データ２５０が格納されている。この表示・印刷設定データ２５０には、図４に示すように、撮影時のぶれ量Ｑごとに最適表示サイズＤａおよび最適印刷サイズＤｂが予め規定されており、制御部６０は、この表示・印刷設定データ２５０に基づいて、撮影時のぶれ量Ｑに応じた最適表示サイズＤａおよび最適印刷サイズＤｂを決定して圧縮・伸張部２５に出力することになる。
このとき、上記表示・印刷設定データ２５０には、撮影時のぶれ量Ｑが大きくなるにしたがって最適表示サイズＤａおよび最適印刷サイズＤｂが順次小さくなるように規定されており、撮影画像に大きなぶれが生じるほど表示サイズおよび印刷サイズが小さくなるようになっている。すなわち、撮影画像に生じたぶれに応じて表示サイズおよび印刷サイズが縮小されるため、表示および印刷時には比較的輪郭線がはっきりとした像が得られ、ぶれが目立たなくなるのである。
【００２５】
ここで、本デジタルカメラ１０にあっては、上記撮影モードとして、通常の撮影モードと、撮影時に、最適表示サイズおよび最適印刷サイズを撮像画像データ２１０に埋め込む最適サイズ撮影モードとが選択可能に設けられており、この最適サイズ撮影モード選択時には、ぶれ量Ｑに応じた最適表示サイズＤａおよび最適印刷サイズＤｂが格納された撮影画像データ２１０が生成されることとなる。以下、この最適サイズ撮影モード時の撮影動作について詳述する。
【００２６】
図５は、最適サイズ撮影モード時の撮影処理を示すフローチャートである。この図に示すように、最適サイズ撮影モードが選択されている場合、制御部６０は、シャッターボタン４１ａの押下操作（音声操作可能な場合には撮影指示を示す音声入力）を監視して、ユーザによって撮影開始を示す撮影指示がなされたか否かを判断する（ステップＳａ１）。撮影指示がなされていない場合には（ステップＳａ１：Ｎｏ）、制御部６０は、引き続きシャッターボタン４１ａの押下操作を監視し、また、撮影指示がなされた場合には（ステップＳａ１：Ｙｅｓ）、露光を開始して撮影を開始すると共に、角速度検出部５０からの角速度検出信号の取り込みを開始する（ステップＳａ２）。そして、制御部６０は、所定のシャッタースピード（露光時間）に相当する時間が経過して撮影が終了したか否かを判断し（ステップＳａ３）、撮影が終了していない場合には（ステップＳａ３：Ｎｏ）、撮影を継続すべく処理手順をステップＳａ２に戻す。
【００２７】
一方、撮影が終了している場合（ステップＳａ３：Ｙｅｓ）、制御部６０は、上記ステップＳａ２にて取得した撮影時の角速度検出信号に基づいてぶれ量Ｑを算出する（ステップＳａ４）。詳細には、制御部６０は、角速度検出信号にて示される撮影時に生じた角速度を、当該角速度の検出に応じて時間積分して角度を算出し、この角度に基づいてぶれ量Ｑを算出する。
次いで制御部６０は、このぶれ量Ｑに対応する最適表示サイズＤａおよび最適印刷サイズＤｂを上記表示・印刷サイズ設定データ２５０に基づいて決定し（ステップＳａ５）、これら最適表示サイズＤａおよび最適印刷サイズＤｂを圧縮・伸張部２５に出力し、撮影画像データ２１０に格納させて、この撮像画像データ２１０をリムーバブルメモリ８０に保存させ（ステップＳａ６）、本撮影処理を終了する。
【００２８】
上記撮影処理において生成された撮影画像データ２１０を再生する場合、すなわち、表示部３０に撮影画像を表示する場合、制御部６０は、撮影画像データ２１０に格納されている最適表示サイズＤａを読み出し、この最適表示サイズＤａにて表示部３０に表示させる。これにより、撮影画像に生じたぶれを目立たなくすることができる。
また、ディスプレイを備えたパーソナルコンピュータや、テレビ等の外部表示装置３１０が接続Ｉ／Ｆ部９０に接続され、この外部表示装置３１０が撮像画像を表示する場合の表示処理についても、デジタルカメラ１０による再生時と同様である。
【００２９】
すなわち、図６に示すように、外部表示装置３１０は、デジタルカメラ１０からの撮影画像データ２１０の受信を監視し（ステップＳｂ１）、撮影画像データ２１０を受信した場合には（ステップＳｂ１：Ｙｅｓ）、撮影画像データ２１０のヘッダ部２１０Ｂから最適表示サイズＤａを抽出し（ステップＳｂ２）、この最適表示サイズＤａにて示される表示サイズで撮影画像を表示する（ステップＳｂ３）。
なお、本デジタルカメラ１０および外部表示装置３１０にあっては、撮影画像の表示時に所定（例えば標準設定）の表示サイズで撮影画像を表示しつつ、最適表示サイズＤａが撮影画像データ２１０に格納されている場合には、この最適表示サイズＤａを画面に表示する等して、ユーザに通知する構成であっても良い。
【００３０】
また、印刷装置３００が接続Ｉ／Ｆ部９０に接続され、この印刷装置３００が撮像画像を印刷する場合の印刷処理についても、上記表示処理と同様に行われる。すなわち、図７に示すように、印刷装置３００は、デジタルカメラ１０からの撮影画像データ２１０の受信を監視し（ステップＳｃ１）、撮影画像データ２１０を受信した場合には（ステップＳｃ１：Ｙｅｓ）、撮影画像データ２１０のヘッダ部２１０Ｂから最適印刷サイズＤｂを抽出し（ステップＳｃ２）、この最適印刷サイズＤｂにて示される印刷サイズ（用紙サイズ）で撮影画像を印刷する（ステップＳｂ３）。
【００３１】
このように、本実施の形態によれば、撮影画像に生じたぶれが視認され難くなる最適な出力サイズである最適表示サイズＤａおよび最適印刷サイズＤｂが撮影時のぶれ量Ｑに基づいて特定されるため、これら最適表示サイズＤａおよび最適印刷サイズＤｂで撮影画像を表示や印刷等の出力を行い、ぶれの目立たない撮影画像を簡単に得ることができる。
また、本実施の形態によれば、外部表示装置３１０や印刷装置３００などの外部機器が撮影画像を表示や印刷等する場合であっても、最適な出力サイズを示す最適表示サイズＤａおよび最適印刷サイズＤｂが付加された撮影画像データ２１０が外部機器に送信されるため、最適なサイズで表示や印刷を行うことができる。
なお、上記外部表示装置３１０や印刷装置３００等の外部機器にあっては、例えば外部機器のファームウェアやドライバソフトウェアに、当該外部機器を、最適表示サイズＤａおよび最適印刷サイズＤｂが付加された撮影画像データ２１０を受信（取得）した場合に、これら最適表示サイズＤａおよび最適印刷サイズＤｂにより示される最適なサイズで表示や印刷を行うように制御する手段として機能させるプログラムを組み込むことでも実施可能である。
【００３２】
（第２実施の形態）
上述した第１実施の形態においては、デジタルカメラ１０が撮影時のぶれ量Ｑに応じて撮影画像データ２１０のヘッダ部２１０Ｂに最適表示サイズＤａおよび最適印刷サイズＤｂを格納する構成について説明した。これに対して、本実施の形態では、デジタルカメラ１０がぶれ量Ｑを撮影画像データ２１０に格納し、撮影画像の再生・出力側である印刷装置３００および外部表示装置３１０がぶれ量Ｑに基づいて最適表示サイズＤａおよび最適印刷サイズＤｂを決定する。
【００３３】
具体的には、図８に示すように、デジタルカメラ１０にあっては、最適サイズ撮影モードが選択されている場合、制御部６０は、シャッターボタン４１ａの押下操作を監視し、撮影指示がなされた場合には（ステップＳｄ１：Ｙｅｓ）、露光を開始して撮影を開始すると共に、角速度検出部５０からの角速度検出信号の取り込みを開始する（ステップＳｄ２）。そして、所定のシャッタースピードに相当する時間が経過して撮影が終了した場合には（ステップＳｄ３：Ｙｅｓ）、制御部６０は、上記ステップＳｄ２にて取得した撮影時の角速度検出信号に基づいてぶれ量Ｑを算出し（ステップＳｄ４）、このぶれ量Ｑを圧縮・伸張部２５に出力して撮影画像データ２１０に格納させ（ステップＳｄ５）、本撮影処理を終了する。
【００３４】
一方、印刷装置３００および外部表示装置３１０のそれぞれには、上述した表示・印刷サイズ設定データ２５０（より正確には、印刷装置３００には、ぶれ量Ｑごとに最適印刷サイズＤｂを規定する設定データ、外部表示装置３１０には、ぶれ量Ｑごとに最適表示サイズＤａを規定する設定データ）が予め格納されており、印刷装置３００および外部表示装置３１０は、撮影画像データ２１０に格納されたぶれ量Ｑに応じて最適表示サイズＤａおよび最適印刷サイズＤｂを特定し、その表示サイズおよび印刷サイズで表示や印刷を実行する。
【００３５】
すなわち、外部表示装置３１０が撮影画像を表示する場合、図９に示すように、外部表示装置３１０は、デジタルカメラ１０からの撮影画像データ２１０の受信を監視し（ステップＳｅ１）、撮影画像データ２１０を受信した場合には（ステップＳｅ１：Ｙｅｓ）、撮影画像データ２１０のヘッダ部２１０Ｂからぶれ量Ｑを抽出し（ステップＳｅ２）、このぶれ量Ｑに対応する最適表示サイズＤａを表示・印刷サイズ設定データ２５０に基づいて特定した後（ステップＳｅ３）、この最適表示サイズＤａの表示サイズで撮影画像を表示する（ステップＳｅ４）。
また、これと同様に、印刷装置３００が撮影画像を印刷する場合、図１０に示すように、印刷装置３００は、デジタルカメラ１０からの撮影画像データ２１０の受信を監視し（ステップＳｆ１）、撮影画像データ２１０を受信した場合には（ステップＳｆ１：Ｙｅｓ）、撮影画像データ２１０のヘッダ部２１０Ｂからぶれ量Ｑを抽出し（ステップＳｆ２）、このぶれ量Ｑに対応する最適印刷サイズＤｂを表示・印刷サイズ設定データ２５０に基づいて特定した後（ステップＳｆ３）、この最適表示サイズＤａの印刷サイズで撮影画像を印刷する（ステップＳｆ４）。
【００３６】
このように本実施の形態によれば、撮影時のぶれ量Ｑが付加された撮影画像データ２１０が、外部表示装置３１０や印刷装置３００等の外部機器に送信されるため、外部機器が撮影画像を表示や印刷等で出力する際に、ぶれ量Ｑに基づいて最適な出力サイズを特定することができる。
すなわち、外部機器にあっては、撮影画像データ２１０に基づいて印刷や表示等の撮影画像の出力を実行する際に、撮影画像に生じたぶれが視認され難くなる最適な出力サイズ（最適表示サイズＤａ、最適印刷サイズＤｂ）をぶれ量Ｑに基づいて特定し、この最適な出力サイズで撮影画像を出力するため、出力された撮影画像に生じたぶれを簡単に目立たなくすることができる。
【００３７】
なお、本実施の形態に係る外部表示装置３１０や印刷装置３００等の外部機器にあっては、例えば外部機器のファームウェアやドライバソフトウェアに、撮影時のぶれ量Ｑが付加された撮影画像データ２１０を受信（取得）した場合に、このぶれ量Ｑに基づいて、撮影画像に生じたぶれが視認され難くなる最適な出力サイズ（最適表示サイズＤａ、最適印刷サイズＤｂ）を特定し、この最適な出力サイズに基づいて撮影画像を印刷または表示するように制御する手段として当該外部機器を機能させるプログラムを組み込むことでも実施可能である。
【００３８】
また、第２実施の形態において、デジタルカメラ１０は、撮影画像データ２１０が外部機器に出力されるときに、撮影画像データ２１０に付加されたぶれ量Ｑに基づいて最適出力サイズ（最適表示サイズＤａ、最適印刷サイズＤｂ）を特定した後、この最適出力サイズを撮影画像データ２１０と共に外部機器に送信する構成としても良い。
この構成によれば、最適出力サイズを特定するための処理は、外部機器に撮影画像データ２１０を送信する際に実行されるため、撮影画像データ生成時、すなわち、撮影時の処理を低減し、連写などの高速撮影に対応することができる。
【００３９】
なお、上述した第１および第２実施の形態は、あくまでも本発明の一態様を示すものであり、本発明の範囲内で任意に変形および応用が可能である。
例えば、上述した各実施の形態において、撮影画像データ２１０に最適表示サイズＤａおよび最適印刷サイズＤｂの両方が格納される場合について説明したが、これに限らず、撮影画像の出力態様、すなわち、表示や印刷に応じて最適表示サイズＤａまたは最適印刷サイズＤｂのみが格納される構成であっても良い。
また、上述の実施形態では、撮影装置の一態様としてデジタルカメラ１０を例示したが、これに限らず、例えば、デジタルビデオカメラ等の静止撮影機能や動画撮影機能を有する撮影装置にも本発明を適用することが可能である。
さらに、本発明が適用された撮影装置を電子機器に設けて実施することも可能である。このような電子機器としては、例えば、カメラ付き携帯電話機や、銀塩カメラ、カメラ付き或いはカメラを外付け可能なＰＤＡやノート型パソコン等がある。
【図面の簡単な説明】
【００４０】
【図１】本発明の第１実施形態のデジタルカメラの構成を示すブロック図である。
【図２】フレームとぶれの検出とを説明するための図である。
【図３】撮影画像データの構成を模式的に示す図である。
【図４】表示・印刷設定データを模式的に示す図である。
【図５】第１実施形態に係る撮影処理のフローチャートである。
【図６】第１実施形態係る表示処理のフローチャートである。
【図７】第１実施形態係る印刷処理のフローチャートである。
【図８】第２実施形態に係る撮影処理のフローチャートである。
【図９】第２実施形態係る表示処理のフローチャートである。
【図１０】第２実施形態係る印刷処理のフローチャートである。
【符号の説明】
【００４１】
１０…デジタルカメラ、２０…撮影部、２２…イメージセンサ、２４…画像処理部、２５…圧縮・伸張部、３０…表示部、４０…操作部、５０…角速度検出部、６０…制御部、８０…リムーバルメモリ、９０…接続Ｉ／Ｆ部、２００…ＲＡＷデータ、２１０…撮影画像データ、２５０…表示・印刷設定データ、３００…印刷装置、３１０…外部表示装置、Ｄａ…最適表示サイズ、Ｄｂ…最適印刷サイズ、Ｑ…ぶれ量。
【図１】
2007189336.tif 000003
【図２】
2007189336.tif 000004
【図３】
2007189336.tif 000005
【図４】
2007189336.tif 000006
【図５】
2007189336.tif 000007
【図６】
2007189336.tif 000008
【図７】
2007189336.tif 000009
【図８】
2007189336.tif 000010
【図９】
2007189336.tif 000011
【図１０】
2007189336.tif 000012